(57)【要約】  腔から少なくとも１つの物体を引き出すための装置（２０）が提供される。装置は、膨張中に少なくとも１つの物体を取り囲むように構成される可膨張部分（２６）を含むスリーブ（２４）と、ユーザがスリーブを保持できるようにするべく構成されるハンドル（２９）であって、ハンドルがスリーブの第１の部分にある開口（３１）の保持縁（３３）を画定する、ハンドル（２９）と、開口の周囲の外周領域（２７）に装着されるハンドルマウント（３２，５２）であって、ハンドルマウントが可膨張部分を膨張させるために使用されるポンプを取り付けるためのものである、ハンドルマウント（３２，５２）とを含む。また、導管（２８）を介して取り付けられるときに分娩支援機器と共に動作するように構成される圧力制限装置（１００）も提供される。【選択図】図２
2017525496.tif 000002
【特許請求の範囲】
【請求項１】
腔から少なくとも１つの物体を引き出すための装置において、
膨張中に前記少なくとも１つの物体を取り囲むように構成される可膨張部分を含むスリーブと、
ユーザが前記スリーブを保持できるようにするべく構成されるハンドルであって、前記ハンドルが前記スリーブの第１の部分にある開口の保持縁を画定する、ハンドルと、
前記開口の周囲の外周領域に装着されるハンドルマウントであって、前記ハンドルマウントが前記可膨張部分を膨張させるために使用されるポンプを取り付けるためのものである、ハンドルマウントと、
を含む装置。
【請求項２】
前記ハンドルマウントは、グリップ機構を有するポンプ装着台又はグリップ機構を有するポンプスタンドのいずれかを含む、請求項１に記載の装置。
【請求項３】
前記ハンドルマウントは、該ハンドルマウントのフレームの中央部にヒンジを含む、請求項２に記載の装置。
【請求項４】
前記ハンドルマウントが観察窓を含み、前記観察窓は、前記可膨張部分内の圧力の表示を与えるためのものである、請求項１に記載の装置。
【請求項５】
前記ハンドルマウントは、
主チャンバと、
前記主チャンバ内で移動するように構成されるピストンと、
圧縮スプリングと、
を含む、請求項４に記載の装置。
【請求項６】
前記ピストンの本体は、少なくとも２つの着色バンド、数値印、及び、目盛り付きマーキングから成るグループのうちの１つを含む、請求項５に記載の装置。
【請求項７】
ポンプを更に含み、前記ポンプは、第１の圧縮性部分と第２の非圧縮性部分とを伴う中央チャンバを有する、請求項１に記載の装置。
【請求項８】
前記第１の圧縮性部分と前記第２の非圧縮性部分とが流体連通したままである、請求項７に記載の装置。
【請求項９】
前記ポンプがバルブポンプ又は軸流ポンプのいずれかである、請求項７又は請求項８に記載の装置。
【請求項１０】
前記ハンドルマウントが観察窓を含み、前記観察窓は、前記可膨張部分内の圧力の表示を与えるためのものである、請求項７から９のいずれか一項に記載の装置。
【請求項１１】
前記ハンドルマウントは、
主チャンバと、
前記主チャンバ内で移動するように構成されるピストンと、
圧縮スプリングと、
を含む、請求項１０に記載の装置。
【請求項１２】
前記ピストンの本体は、少なくとも２つの着色バンド、数値印、及び、目盛り付きマーキングから成るグループのうちの１つを含む、請求項１１に記載の装置。
【請求項１３】
分娩支援機器の可膨張部分を膨張させるべく陽圧を供給するために導管を介して取り付けられるときに前記分娩支援機器と共に動作するように構成される圧力制限装置であって、前記装置がガスを収容するための中央チャンバを含み、前記中央チャンバが第１の圧縮性部分と第２の非圧縮性部分とを含む、装置。
【請求項１４】
分娩支援機器の吸着カップ内から空気を引き出すべく陰圧を供給するために導管を介して取り付けられるときに前記分娩支援機器と共に動作するように構成される圧力制限装置であって、前記装置がガスを収容するための中央チャンバを含み、前記中央チャンバが第１の圧縮性部分と第２の非圧縮性部分とを含む、装置。
【請求項１５】
前記第１の圧縮性部分と前記第２の非圧縮性部分とが流体連通したままである、請求項１３又は請求項１４に記載の装置。
【請求項１６】
前記装置がバルブポンプ又は軸流ポンプのいずれかである、請求項１３から１５のいずれか一項に記載の装置。
【請求項１７】
前記第１の圧縮性部分が内部隔壁又は外部リストリクタのいずれかを使用して画定される、請求項１３から１６のいずれか一項に記載の装置。
【請求項１８】
前記第１の圧縮性部分が第１のサブチャンバである、請求項１３から１７のいずれか一項に記載の装置。
【発明の詳細な説明】
【技術分野】
【０００１】
本発明は、一般に、特に出産の場合に、腔から少なくとも１つの要素を引き出すための装置に関し、また、一般に、印加圧力を制限するための装置に関する。
【背景技術】
【０００２】
分娩の分野では、医療専門家／設備を利用できない状況であっても出産プロセスを支援する幾つかの技術革新が存在してきた。これらの技術革新の一部は、分娩第２期中に場合により致命的となる母体合併症（例えば、出血、感染）及び新生児合併症（例えば、出生時仮死、外傷）を最小限に抑えることに関連する。
【０００３】
そのような技術革新の１つの例は、図１に示されるオドン（Ｏｄｏｎ）機器である。該機器は、広義には、分娩第２期中に合併症が起こるときに胎児を分娩させるための器具と見なされ得る。機器は、フィルム状のポリエチレン材料から形成される可膨張部分を有するスリーブを含み、分娩介助のための鉗子及び吸引娩出器とは異なる態様で動作する。また、機器は、医療専門家／設備を利用できない状況で帝王切開に代わるものももたらす。
【０００４】
加えて、可膨張部分を膨張させるための装置は、現在、可膨張部分に入る空気の量を制限する態様を何ら有さない。ある場合には、可膨張部分内の空気圧を制限することが望ましい。
【０００５】
本発明は、オドン機器を向上させることを目的とする。
【発明の概要】
【０００６】
腔から少なくとも１つの物体を引き出すための装置が提供される。装置は、膨張中に少なくとも１つの物体を取り囲むように構成される可膨張部分を含むスリーブと、ユーザがスリーブを保持できるようにするべく構成されるハンドルであって、ハンドルがスリーブの第１の部分にある開口の保持縁を画定する、ハンドルと、開口の周囲の外周領域に装着されるハンドルマウントであって、ハンドルマウントが可膨張部分を膨張させるために使用されるポンプを取り付けるためのものである、ハンドルマウントとを含む。
【０００７】
ハンドルマウントは、グリップ機構を有するポンプ装着台又はグリップ機構を有するポンプスタンドのいずれかを含むことが好ましい。
【０００８】
ハンドルマウントは、該ハンドルマウントのフレームの中央部にヒンジを含むことが有益である。記ハンドルマウントが観察窓を含んでもよく、観察窓は、可膨張部分内の圧力の表示を与えるためのものである。また、ハンドルマウントは、主チャンバと、主チャンバ内で移動するように構成されるピストンと、圧縮スプリングとを含むこともできる。
【０００９】
ピストンの本体は、例えば、少なくとも２つの着色バンド、数値印、及び、目盛り付きマーキング等のうちの１つを含むことが好ましい。
【００１０】
装置がポンプを更に含んでもよく、ポンプは、第１の圧縮性部分と第２の非圧縮性部分とを伴う中央チャンバを有する。ポンプはバルブポンプ又は軸流ポンプのいずれかであり、また、第１の圧縮性部分と第２の非圧縮性部分とが流体連通したままであることが好ましい。
【００１１】
他の態様では、分娩支援機器の可膨張部分を膨張させるべく陽圧を供給するために導管を介して取り付けられるときに分娩支援機器と共に動作するように構成される圧力制限装置が提供される。装置はガスを収容するための中央チャンバを含み、中央チャンバは、第１の圧縮性部分と第２の非圧縮性部分とを含む。圧力制限装置は、分娩支援機器の吸着カップ内から空気を引き出すべく陰圧を供給するために導管を介して取り付けられるときに分娩支援機器と共に動作するように構成することもできる。
【００１２】
装置がバルブポンプ又は軸流ポンプのいずれかであってもよく、また、第１の圧縮性部分と第２の非圧縮性部分とが流体連通したままであることが好ましい。第１の圧縮性部分が内部隔壁又は外部リストリクタのいずれかを使用して画定されてもよい。第１の圧縮性部分が第１のサブチャンバであってもよい。
【００１３】
ここで、本発明を十分に理解できるとともに、本発明が容易に実施できるように、本発明の好ましい実施形態を単なる非限定的な例として説明し、説明は添付の例示的な図を参照する。
【図面の簡単な説明】
【００１４】
【図１】オドン機器の様々な構成要素の斜視図を示す。
【図２】（ａ）−（ｂ）は、図１のオドン機器に対する第１の改良の２つの実施形態の斜視図を示す。
【図３】（ａ）はオドン機器の第２の改良の分解図、（ｂ）は断面図をそれぞれ示す。
【図４】（ａ）−（ｃ）は使用時の第２の改良を示す。
【図５】（ａ）−（ｄ）は、陽圧を印加するときの使用中のオドン機器の第３の改良の概略図を示す。
【図６】（ａ）−（ｆ）は、第３の改良の様々な実施形態を示す。
【図７】（ａ）−（ｃ）は、陰圧を印加するときの使用中の第３の改良の概略図を示す。
【発明を実施するための形態】
【００１５】
本発明は、腔から少なくとも１つの要素を引き出すための装置における様々な改良を提供する。改良は、広義には、装置の可膨張部におけるグリップを改良すること、及び、装置の可膨張部の圧力を管理することに関する。以下の段落では、様々な改良の幾つかの実施形態について説明する。好適には、本発明は、出産プロセス中の女性の膣からの新生児の引き出しが支障を殆ど伴わないようにする。
【００１６】
図１を参照すると、腔から少なくとも１つの要素を引き出すための装置２０（オドン機器）の様々な構成要素の斜視図が示される。本発明の理解を促すために、装置２０の主要な構成要素のみについて説明する。装置２０は、出産プロセス中の女性の膣からの新生児の引き出しを助けるためのものであり、女性が出産プロセス中に困難に直面する特定の状況で使用される。装置２０は、該装置２０が女性の膣内に適切に位置された後に除去される中心挿入体２２を含む。また、装置２０はスリーブ２４も含む。スリーブ２４は、フィルム状のポリエチレン材料から形成される、膨張中に少なくとも１つの要素を取り囲むように構成される可膨張部分２６を含む。膨張チューブ２８を介して可膨張部分２６内へ空気が入り、また、一般に、膨張チューブ２８には第１の端部３０にポンプ（図示せず）が取り付けられる。また、スリーブ２４は、該スリーブ２４を膣から除去するときにユーザが握るためのハンドル２９も含む。スリーブ２４は、該スリーブ２４の第１の部分２５に開口３１を含み、開口３１は、ユーザがハンドル２９を握っているときにユーザの指の通過を可能にするように構成される。ハンドル２９は、開口３１の保持縁３３を画定する。
【００１７】
図２（ａ）及び図２（ｂ）を参照すると、装置２０の第１の改良を組み込む２つの実施形態が示される。第１の改良は、スリーブ２４の開口３１の周囲の外周領域２７に装着されるハンドルマウント３２／５２である。開口３１の周囲の外周領域２７は、開口３１の周囲に部分的に沿う又は開口３１の全周に沿う、開口３１を取り囲む部分に関連し得る。ハンドルマウント３２／５２はスリーブ２４と一体を成す。ハンドルマウント３２／５２は、ポリエチレンのようなプラスチック材料から製造され、例えばヒートシール、接着剤、締結具、スナップ嵌合装着等を使用してスリーブ２４に装着され得る。ハンドルマウント３２／５２は、（ポンプ３４が膨張チューブ２８の第１の端部３０に結合されるときにはいつでも）ポンプ３４をスリーブ２４に装着できるようにするとともに、使用中にハンドル２９に対して剛性も与える。ハンドルマウント３２／５２の使用は、ポンプ３４が第１の端部３０に結合されるときにもはやぶら下がっていないため、ユーザの手を完全に自由にし、また、自由な手は、膣からのスリーブ２４の除去中に膣の入口に圧力を加えることができる。更に、ハンドル２９の付加的な剛性は、スリーブ２４を膣から除去するときに更に強固なハンドル２９ももたらす。また、ハンドルマウント３２／５２を左利きのユーザ及び右利きのユーザの両方によって使用することもできる。図２（ａ）及び図２（ｂ）に示される形態は右利きユーザ用である。明確にするために、左利きユーザ用においては、ポンプ３４が（図２に示されるポンプ３４の位置と比べて）逆さに位置された状態でハンドルマウント３２／５２がスリーブ２４の他の面に装着される。
【００１８】
第１の実施形態のハンドルマウント３２が図２（ａ）に示される。ハンドルマウント３２は、ポンプ装着台４０のためのフレーム３８の中央部にヒンジ３６を含む。上下ヒンジを有するのではなく、中央部にヒンジ３６を有すると、膣からのスリーブ２４の除去中にポンプ装着台４０が変形しないようになる。ポンプ装着台４０はポンプ３４を受けるように形成され、また、ポンプ装着台４０は、ポンプ３４の端部のためのグリップ機構４２も含む。グリップ機構４２は、ポンプ３４の配置を可能にするための開口を有するリング構造を成すことができる。
【００１９】
第２の実施形態のハンドルマウント５２が図２（ｂ）に示される。ハンドルマウント５２は、膣からのスリーブ２４の除去中にポンプスタンド６０が変形しないようにするためにポンプスタンド６０のためのフレーム５８の中央部にヒンジ５６を含む。ポンプスタンド６０は、ユーザがポンプ３４のためのラップアラウンドグリップを有することができるようにポンプ３４への最適な障害のないアクセスを確保するためにグリップ機構６１を有する長尺なアームの形態に形成される。
【００２０】
図３及び図４を参照すると、装置２０の第２の改良が示される。第２の改良は圧力表示ハンドルマウント７０である。圧力表示ハンドルマウント７０もスリーブ２４のハンドル２９の周囲の外周領域２７に装着される。圧力表示ハンドルマウント７０は、ポリエチレンのようなプラスチック材料から製造され、例えばヒートシール、接着剤、締結具、スナップ嵌合装着等を使用してスリーブ２４に装着され得る。圧力表示ハンドルマウント７０は、装置２０の可膨張部分２６内の圧力が不十分か、十分か、又は、過剰かどうかの一般的な表示を与えることができる。
【００２１】
圧力表示ハンドルマウント７０の分解図が図３（ａ）に示され、一方、断面図が図３（ｂ）に示される。圧力表示ハンドルマウント７０は、可膨張部分２６内の圧力の変化にしたがって主チャンバ７４に沿ってスライドする移動ピストン７２を含む。圧力表示ハンドルマウント７０は、移動ピストン７２と主チャンバ７４の内面との間にシールを与えるために移動ピストン７２に装着される複数のＯリング７６を含んでもよい。或いは、移動ピストン７２は、締まり嵌めを使用して主チャンバ７４内に嵌合され得る。加えて、圧力表示ハンドルマウント７０は、付勢力を移動ピストン７２に与えるために圧縮スプリング７８も含む。スプリング７８は、主チャンバ７４内の圧力が増大されるにつれて移動ピストン７２に抵抗力を与える。スプリング７８のバネ定数は、主チャンバ７４の加圧中、具体的には移動ピストン７２の下部７３及び主チャンバ７４の壁における加圧中に移動ピストン７２の動作を決定できる。更に、圧力表示ハンドルマウント７０は、フレーム８４に２つのヒンジ８２を有するポンプ装着台８０も含み、この場合、ポンプ装着台８０はポンプ３４を受けるように形成され、また、ポンプ装着台８０は、ポンプ３４の端部のための取り付け部８６も含む。移動ピストン７２の本体は、観察窓８８を通して可膨張部分２６内の圧力を示すために少なくとも２つの異なる着色バンド（例えば、明るい及び暗い）を有することができる。観察窓８８を通して可膨張部分２６内の圧力の数値表示を示すこともできることが理解されるべきである（特に、圧力表示ハンドルマウント７０の移動ピストン７２の較正が行なわれてもよい）。更に、観察窓８８を通して可膨張部分２６内の圧力を示すマーキング／目盛りを見せることもできる。
【００２２】
移動ピストン７２は、主チャンバ７４内で圧力が増大されるときに、具体的には移動ピストン７２の下部７３及び主チャンバ７４の壁における加圧時に、主チャンバ７４に対してシールを与える。複数のＯリング７６は、移動ピストン７２と主チャンバ７４の内面との間にシールを与えることに役立つとともに、移動ピストン７２の動作中の安定性を維持することにも役立つ。
【００２３】
図４（ａ）−図４（ｃ）は、使用事例中の圧力表示ハンドルマウント７０を示す。図４（ａ）は、ポンプ３４が圧力表示ハンドルマウント７０に接続されてしまった後にポンプ３４が圧縮されている状態を示す。この場合、移動ピストン７２の明るい着色バンドが観察窓８８で示され、また、これは、装置２０の可膨張部分２６内の圧力が不十分であることを示す。図４（ｂ）は、ポンプ３４が図４（ａ）の状態から継続的に送出駆動されるにつれて観察窓８８で表示される移動ピストン７２の更に暗い着色バンドを示し、また、この更に暗い着色バンドは、装置２０の可膨張部分２６内の圧力が装置２０の使用中に適切な保持力を与えるのに十分であることを示す。図４（ｃ）は、ポンプ３４が図４（ｂ）の状態から継続的に送出駆動されるにつれて観察窓８８で表示される移動ピストン７２の最も暗い着色バンドを示し、また、この最も暗い着色バンドは、装置２０の可膨張部分２６内の圧力が装置２０の使用中に過剰であることを示す。圧力表示ハンドルマウント７０は、可膨張部分２６内の圧力をそれが装置２０の使用中に最適なレベルにあるようにユーザによって監視できるようにする。
【００２４】
また、圧力表示ハンドルマウント７０とハンドルマウント３２との類似性は、圧力表示ハンドルマウント７０もハンドルマウント３２と同じ利点を与えることを意味することが理解されるべきである。
【００２５】
以下の段落は、圧力表示ハンドルマウント７０の動作に関して理論的な側面を与える。
【００２６】
主チャンバ７４内の圧力が増大されると、Ｐｐｒｅｓｓｕｒｅ  ｃｈａｍｂｅｒが力Ｆｐｉｓｔｏｎによって移動ピストン７２を押圧する。主チャンバ７４は断面積Ａｐｒｅｓｓｕｒｅ  ｃｈａｍｂｅｒを有する。
【００２７】
したがって、圧力＝力／面積であることを考えると、
Ｐｐｒｅｓｓｕｒｅ  ｃｈａｍｂｅｒ＝Ｆｐｉｓｔｏｎ／Ａｐｒｅｓｓｕｒｅ  ｃｈａｍｂｅｒ  （１）
ここで、Ａｐｒｅｓｓｕｒｅ  ｃｈａｍｂｅｒ＝π（Ｄ／２）２
Ｄ＝圧力チャンバ直径
したがって、Ｆｐｉｓｔｏｎ＝Ｐｐｒｅｓｓｕｒｅ  ｃｈａｍｂｅｒ×Ａｐｒｅｓｓｕｒｅ  ｃｈａｍｂｅｒ  （２）
スプリング７８にとって適したバネ定数ｋを選択することにより、移動ピストン７２の位置を規定できる。
【００２８】
Ｆｓｐｒｉｎｇ＝ｋ×Δｘ  （３）
Δｘ＝スプリング圧縮量＝ピストンの当初の初期位置に対する位置変化
したがって、スプリング力の抵抗が移動ピストン７２における力に等しいとすると、
Ｆｓｐｒｉｎｇ＝Ｆｐｉｓｔｏｎ  （４）
方程式（２）及び（３）を（４）に代入すると、
ｋ×Δｘ＝Ｐｐｒｅｓｓｕｒｅ  ｃｈａｍｂｅｒ×Ａｐｒｅｓｓｕｒｅ  ｃｈａｍｂｅｒ
Δｘ＝［Ｐｐｒｅｓｓｕｒｅ  ｃｈａｍｂｅｒ×Ａｐｒｅｓｓｕｒｅ  ｃｈａｍｂｅｒ］／ｋ
このように、製品設計及び製品要件に基づいてＡｐｒｅｓｓｕｒｅ  ｃｈａｍｂｅｒ及びＰｐｒｅｓｓｕｒｅ  ｃｈａｍｂｅｒを規定できるため、ｋを調整することにより、移動ピストン７２の位置を規定できる。
【００２９】
また、装置２０の作動圧がＰｗｏｒｋｉｎｇであり、過剰圧がＰｅｘｃｅｅｄであるとすると、移動ピストン７２の当初の位置に対する位置は以下のように示される。
Δｘｗｏｒｋｉｎｇ＝Ｐｗｏｒｋｉｎｇ×Ａｐｒｅｓｓｕｒｅ  ｃｈａｍｂｅｒ／ｋ
Δｘｅｘｃｅｅｄ＝Ｐｅｘｃｅｅｄ×Ａｐｒｅｓｓｕｒｅ  ｃｈａｍｂｅｒ／ｋ
ここで
Ｐｗｏｒｋｉｎｇ＜Ｐｅｘｃｅｅｄ
Δｘｗｏｒｋｉｎｇ＜Δｘｅｘｃｅｅｄ
【００３０】
図５〜図７を参照すると、装置２０の第３の改良が示される。第３の改良は圧力制限ポンプ１００である。図５は、陽圧を供給するための使用中の圧力制限ポンプ１００の概略図を示す。例えば吸引器具などの他の分娩支援機器と共に圧力制限ポンプ１００を使用できることが理解されるべきである。圧力制限ポンプ１００は、一般に、導管を介して分娩支援機器に取り付けられる。また、圧力制限ポンプ１００を圧力制限装置と見なすこともできる。加えて、圧力制限ポンプ１００はガスにかかわる動作のために構成される。
【００３１】
図５（ａ）は、中央チャンバ９９、第１の逆止弁１０２、及び、第２の逆止弁１０４を含む圧力制限ポンプ１００の初期状態を示す。中央チャンバ９９は、大気から空気を引き込んで空気を排出するためのものであり、圧縮性部分（Ｖａ）と、圧力制限ポンプ１００のための圧力制限としての機能を果たす非圧縮性部分（Ｖｂ）とを含む。第１の逆止弁１０２は、中央チャンバ９９の圧力（Ｐｐｕｍｐ）が大気圧（Ｐ０）よりも低いときに空気が通過できるようにする。また、第１の逆止弁は、空気が中央チャンバ９９内で加圧されているときに空気の逆流も防止する。第２の逆止弁１０４は、Ｐｐｕｍｐが空気チャンバ１０６の圧力（Ｐａｉｒ  ｃｈａｍｂｅｒ）よりも高いときに空気が通過できるようにする。空気チャンバ１０６はスリーブ２４の可膨張部分２６に相当する。また、第２の逆止弁１０４は、空気が大気から中央チャンバ９９内へ引き込まれているときに空気チャンバ１０６からの空気の逆流も防止する。初期状態では、空気が第１の逆止弁１０２及び第２の逆止弁１０４を通じて流れない。したがって、ｑ１＝ｑ２＝０、及び、Ｐａｉｒ  ｃｈａｍｂｅｒ＝Ｐｐｕｍｐ＝Ｐ０である。
【００３２】
図５（ｂ）は、中央チャンバ９９の圧縮により、空気が第２の逆止弁１０４を通過して空気チャンバ１０６に入る状態を示す。この際、Ｐｐｕｍｐ＞Ｐａｉｒ  ｃｈａｍｂｅｒ、及び、ｑ２＞０である。その後、空気チャンバ１０６内への空気の移動に起因してＰａｉｒ  ｃｈａｍｂｅｒが増大する。
【００３３】
図５（ｂ）の後、図５（ｃ）は、中央チャンバ９９が大気から空気を引き込み、したがって、中央チャンバ９９の内容積が増大し、それにより、空気が第１の逆止弁１０２を通過して中央チャンバ９９に入る状態を示す。そのため、Ｐｐｕｍｐ＜Ｐ０、ｑ１＞０、Ｐｐｕｍｐ＜Ｐａｉｒ  ｃｈａｍｂｅｒ、及び、ｑ２＝０である。
【００３４】
図５（ｂ）及び図５（ｃ）に描かれるステップが繰り返される（すなわち、中央チャンバ９９でポンプ解放作用が繰り返される）と、合流点に達し、それにより、圧力平衡に達する。すなわち、Ｐｐｕｍｐ＝Ｐａｉｒ  ｃｈａｍｂｅｒ、及び、ｑ１＝ｑ２＝０となる。これは、中央チャンバ９９、空気チャンバ１０６、及び、大気のいずれの間でも空気の流れが存在しないからである。
【００３５】
以下の段落は、圧力制限ポンプ１００の動作に関して理論的な側面を与える。
【００３６】
中央チャンバ９９内の圧力（Ｐｐｕｍｐ）が空気チャンバの圧力（Ｐａｉｒ  ｃｈａｍｂｅｒ）に等しいと、図５（ｄ）に示されるように空気が第２の逆止弁１０４で移動されない。
【００３７】
したがって、中央チャンバ９９内の圧縮性容積（Ｖａ）と非圧縮性容積（Ｖｂ）との比率を制御することにより、以下のようにボイルの法則を使用して中央チャンバ９９により送出され得る最大圧力を設計（規定）できる。
ボイルの法則：Ｐ１Ｖ１＝Ｐ２Ｖ２  （ａ）
初期圧力：Ｐ１＝Ｐ０  （ｂ）
初期容積：Ｖ１＝Ｖａ＋Ｖｂ  （ｃ）
最終容積：Ｖ２＝Ｖｂ（すなわち、非圧縮性容積）  （ｄ）
したがって、
Ｐ２＝Ｐ１×Ｖ１／Ｖ２  （方程式ａから導き出されるｅ）
（ｂ）（ｃ）（ｄ）を（ｅ）に代入すると、
Ｐ２＝Ｐ０×（Ｖａ＋Ｖｂ）／Ｖｂ
Ｐ２＝最終圧力＝最大送出圧力＝圧力限度
Ｐａｉｒ  ｃｈａｍｂｅｒ＝Ｐｐｕｍｐ＝Ｐ２であると、
ｑ２＝０
【００３８】
したがって、圧縮性容積Ｖａと非圧縮性容積Ｖｂとの間の比率を規定することにより、空気チャンバ１０６へ送出される最大圧力を制限できる。圧力制限ポンプ１００は、可膨張部分２６内の圧力が装置２０の使用中に過剰にならないようにする。
【００３９】
図６は第３の改良の様々な実施形態を示す。図６（ａ）−図６（ｃ）はバルブポンプ形態を成す中央チャンバ９９を描く。図６（ａ）は、圧縮性部分Ｖａと非圧縮性部分Ｖｂとを画定するための中央チャンバ９９内での内部隔壁（例えば、仕切り、ストッパ、膜、及び、同様のもの等）の使用を示す。図６（ｂ）は、圧縮性部分Ｖａと非圧縮性部分Ｖｂとを画定するために中央チャンバ９９に装着される外部ガイド（リストリクタ）の使用を示す。図６（ｃ）は、中央チャンバ９９を形成するための別個の圧縮性部分Ｖａ（第１のサブチャンバ）及び別個の外部非圧縮性部分Ｖｂ（第２のサブチャンバ）の使用を示す。
【００４０】
図６（ｄ）−図６（ｆ）は、軸流ポンプ形態を成す中央チャンバ９９を描く。図６（ｄ）は、圧縮性部分Ｖａと非圧縮性部分Ｖｂとを画定するための中央チャンバ９９内での物体の使用を示す。図６（ｅ）は、圧縮性部分Ｖａと非圧縮性部分Ｖｂとを画定するために中央チャンバ９９に装着される外部ガイド（リストリクタ）の使用を示す。図６（ｆ）は、中央チャンバ９９を形成するための別個の圧縮性部分Ｖａ及び別個の外部非圧縮性部分Ｖｂの使用を示す。中央チャンバ９９における他の変形も想定し得ることが理解されるべきである。また、図６に示される全ての実施形態ではＶａ及びＶｂが流体連通したままであることも理解されるべきである。
【００４１】
装置２０のポンプのように陽圧を印加して空気を可膨張部分２６へ供給するために圧力制限ポンプ１００を使用することができるとともに、（吸引器具の吸着カップのように）陰圧を印加して囲繞領域内から空気を引き出すために圧力制限ポンプを使用することもできることが理解されるべきである。新生児の分娩中においては、陰圧を制限して新生児の頭部へのダメージを最小限に抑えることが重要である。したがって、圧力制限ポンプ１００は、ユーザの介入を伴うことなく、すなわち、囲繞領域内の圧力レベルを監視する必要なく、陰圧の制限を可能にする。また、圧力制限ポンプ１００の使用は、圧力ゲージ及び一般的には吸引器具と共に使用される圧力放出器の冗長性をもたらす。したがって、吸引器具を使用するときに必要とされる構成要素の数も最小限に抑えられ、それに対応して、コスト及び機器の複雑さが最小限に抑えられる。
【００４２】
陰圧を印加するために圧力制限ポンプ１００が使用される事例において、図７を参照すると、図７（ａ）は、中央チャンバ９９、第１の逆止弁１０２、及び、第２の逆止弁１０４を含む圧力制限ポンプ１００の初期状態を示す。中央チャンバ９９は、圧縮性部分（Ｖａ）と、圧力制限ポンプ１００のための圧力制限としての機能を果たす非圧縮性部分（Ｖｂ）である。第１の逆止弁１０２は、中央チャンバ９９の圧力（Ｐｐｕｍｐ）が大気圧（Ｐ０）よりも高いときに空気が通過できるようにする。また、第１の逆止弁は、空気が中央チャンバ９９内で加圧されているときに空気の逆流も防止する。第２の逆止弁１０４は、Ｐｐｕｍｐが空気チャンバ２０６の圧力（Ｐａｉｒ  ｃｈａｍｂｅｒ）よりも高いときに空気が通過できるようにする。空気チャンバ２０６は吸引器具の吸着カップに相当する。初期状態では、空気が第１の逆止弁１０２及び第２の逆止弁１０４を通じて流れない。したがって、ｑ１＝ｑ２＝０、及び、Ｐｃｈａｍｂｅｒ＝Ｐｐｕｍｐ＝Ｐ０である。
【００４３】
図７（ｂ）は、中央チャンバ９９の圧縮により、空気が第２の逆止弁１０４を通過して大気中へ向かう状態を示す。この際、Ｐｐｕｍｐ＞Ｐ０である。
【００４４】
図７（ａ）の後、図７（ｂ）は、中央チャンバ９９が空気チャンバ２０６から空気を引き込み、したがって、中央チャンバ９９の内容積が増大し、それにより、空気が第１の逆止弁１０２を通過して中央チャンバ９９に入る状態を示す。
【００４５】
図５（ｂ）及び図５（ｃ）に描かれるステップが繰り返される（すなわち、中央チャンバ９９でポンプ解放作用が繰り返される）と、合流点に達し、それにより、圧力平衡に達する。すなわち、Ｐｐｕｍｐ＝Ｐｃｈａｍｂｅｒ、及び、ｑ１＝ｑ２＝０となる。これは、中央チャンバ９９、空気チャンバ１０６、及び、大気のいずれの間でも空気の流れが存在しないからである。
【００４６】
以下の段落は、圧力制限ポンプ１００の動作に関して理論的な側面を与える。中央チャンバ９９内の圧縮性容積（Ｖａ）と非圧縮性容積（Ｖｂ）との比率を制御することにより、以下のようにボイルの法則を使用して中央チャンバ９９により送出され得る最大陰圧を設計（規定）できる。
【００４７】
図７（ａ）では、ＰｐｕｍｐＶｂ＝Ｐ０（Ｖａ＋Ｖｂ）
図７（ｃ）では、Ｐｐｕｍｐ  ｉｎｉｔｉａｌＶｂ＝Ｐｐｕｍｐ  ｆｉｎａｌ（Ｖａ＋Ｖｂ）であり、そのため、Ｐｐｕｍｐ  ｆｉｎａｌ＝Ｐｐｕｍｐ  ｉｎｉｔｉａｌ×［Ｖｂ／Ｖａ＋Ｖｂ］
したがって、Ｐｐｕｍｐ  ｆｉｎａｌ＜Ｐｐｕｍｐ  ｉｎｉｔｉａｌ
Ｐｃｈａｍｂｅｒ＝図７（ｂ）におけるＰ０、Ｐｐｕｍｐ  ｆｉｎａｌ＜Ｐｃｈａｍｂｅｒであるとして、
Ｐｐｕｍｐ  ｆｉｎａｌ＝Ｐｃｈａｍｂｅｒになるまで図７（ｂ）及び図７（ｃ）を繰り返すと、このことは、Ｖａ及びＶｂを管理することによってＰｃｈａｍｂｅｒにおける圧力制限を得ることができることを示す。
【００４８】
先の段落に基づき、装置２０を向上させようとする際に装置２０の前述の第１、第２、及び、第３の改良を個別に又は任意の組み合わせで適用できることが理解されるべきである。
【００４９】
以上の説明では、本発明の好ましい実施形態について記載してきたが、当業者であれば分かるように、本発明から逸脱することなく、形態又は構成の細部において多くの変形又は修正を行なってもよい。
【図１】
2017525496.tif 000003
【図２（ａ）】
2017525496.tif 000004
【図２（ｂ）】
2017525496.tif 000005
【図３（ａ）】
2017525496.tif 000006
【図３（ｂ）】
2017525496.tif 000007
【図４（ａ）】
2017525496.tif 000008
【図４（ｂ）】
2017525496.tif 000009
【図４（ｃ）】
2017525496.tif 000010
【図５（ａ）】
2017525496.tif 000011
【図５（ｂ）】
2017525496.tif 000012
【図５（ｃ）】
2017525496.tif 000013
【図５（ｄ）】
2017525496.tif 000014
【図６（ａ）】
2017525496.tif 000015
【図６（ｂ）】
2017525496.tif 000016
【図６（ｃ）】
2017525496.tif 000017
【図６（ｄ）】
2017525496.tif 000018
【図６（ｅ）】
2017525496.tif 000019
【図６（ｆ）】
2017525496.tif 000020
【図７（ａ）】
2017525496.tif 000021
【図７（ｂ）】
2017525496.tif 000022
【図７（ｃ）】
2017525496.tif 000023
【国際調査報告】
2017525496.tif 000024
2017525496.tif 000025
2017525496.tif 000026
2017525496.tif 000027
2017525496.tif 000028